(57)【要約】【課題】乾燥した状態のブレードを用いて、ノズル面を払拭する場合と比して、ノズル面の損傷を抑制することができる画像形成装置を得る。【解決手段】液体が付着した状態のブレード９６、１０６を用いてノズル面４４を払拭するため、乾燥した状態のブレードを用いて、ノズル面を払拭する場合と比して、ノズル面に施されている撥水膜の損傷が抑制される。【選択図】図１
2018043467.tif 000002
【特許請求の範囲】
【請求項１】
液滴を吐出するノズルが形成されたノズル面を有し、記録媒体に液滴を吐出する吐出位置と、前記吐出位置に対して上方の清掃位置とに移動する吐出部材と、
前記清掃位置の前記吐出部材に対して相対移動して、前記ノズル面を払拭するブレードと、
液体が付着した状態の前記ブレードが前記ノズル面を払拭するように、前記ブレードに液体を付着させる付着部材と、
を備える画像形成装置。
【請求項２】
前記付着部材は、液体を保持すると共に、前記ブレードの前記吐出部材に対する相対移動の方向に、前記ノズル面と並んでおり、
前記ブレードは、前記清掃位置の前記吐出部材に対して相対移動することで、前記付着部材と接触し、前記ブレードに液体が付着する請求項１に記載の画像形成装置。
【請求項３】
液体が含浸された含浸部材を備え、
前記付着部材は、前記含浸部材と接触することで、液体を保持する請求項１又は２に記載の画像形成装置。
【請求項４】
前記付着部材は、前記ブレードと離間した位置から、前記ブレードに向けて液体を吐出して前記ブレードに液体を付着させる請求項１に記載の画像形成装置。
【発明の詳細な説明】
【技術分野】
【０００１】
本発明は、画像形成装置に関する。
【背景技術】
【０００２】
特許文献１に記載の液滴吐出装置は、繊維質又は多孔質材料からなるスポンジを有し、印字ヘッドのノズル部がスポンジに圧接又は離反可能とし、圧接時には印字ヘッドのノズル部が不揮発性流体に包囲されるようになっている。
【先行技術文献】
【特許文献】
【０００３】
【特許文献１】特開平１１―１５７０９０号公報
【発明の概要】
【発明が解決しようとする課題】
【０００４】
本発明の課題は、乾燥した状態のブレードを用いて、ノズル面を払拭する場合と比して、ノズル面の損傷を抑制することである。
【課題を解決するための手段】
【０００５】
本発明の請求項１に係る画像形成装置は、液滴を吐出するノズルが形成されたノズル面を有し、記録媒体に液滴を吐出する吐出位置と、前記吐出位置に対して上方の清掃位置とに移動する吐出部材と、前記清掃位置の前記吐出部材に対して相対移動して、前記ノズル面を払拭するブレードと、液体が付着した状態の前記ブレードが前記ノズル面を払拭するように、前記ブレードに液体を付着させる付着部材と、を備えることを特徴とする。
【０００６】
本発明の請求項２に係る画像形成装置は、請求項１に記載の画像形成装置において、前記付着部材は、液体を保持すると共に、前記ブレードの前記吐出部材に対する相対移動の方向に、前記ノズル面と並んでおり、前記ブレードは、前記清掃位置の前記吐出部材に対して相対移動することで、前記付着部材と接触し、前記ブレードに液体が付着することを特徴とする。
【０００７】
本発明の請求項３に係る画像形成装置は、請求項１又は２に記載の画像形成装置において、液体が含浸された含浸部材を備え、前記付着部材は、前記含浸部材と接触することで、液体を保持することを特徴とする。
【０００８】
本発明の請求項４に係る画像形成装置は、請求項１に記載の画像形成装置において、前記付着部材は、前記ブレードと離間した位置から、前記ブレードに向けて液体を吐出して前記ブレードに液体を付着させることを特徴とする。
【発明の効果】
【０００９】
本発明の請求項１の画像形成装置によれば、乾燥した状態のブレードを用いて、ノズル面を払拭する場合と比して、ノズル面の損傷を抑制することができる。
【００１０】
本発明の請求項２の画像形成装置によれば、ブレードを、吐出部材に対して相対移動させるだけで、ブレードに液体が付着し、かつ、ノズル面をブレードが払拭することができる。
【００１１】
本発明の請求項３の画像形成装置によれば、付着部材の内部に管を通すことで、付着部材に液体を保持させる場合と比して、付着部材は、簡易な構成で液体を保持することができる。
【００１２】
本発明の請求項４の画像形成装置によれば、液体を保持した部材に、ブレードを擦りつけることで、ブレードに液体を付着させる場合と比して、ブレードが摩擦によって劣化するのを抑制することができる。
【図面の簡単な説明】
【００１３】
【図１】本発明の第１実施形態に係る画像形成装置のヘッドユニット、及び保守ユニット等を示した斜視図である。
【図２】（Ａ）（Ｂ）本発明の第１実施形態に係る画像形成装置のヘッドユニット、及び保守ユニット等を示した側面図である。
【図３】（Ａ）（Ｂ）本発明の第１実施形態に係る画像形成装置のヘッドユニット、及び保守ユニット等を示した側面図である。
【図４】（Ａ）（Ｂ）本発明の第１実施形態に係る画像形成装置のヘッドユニット、及び保守ユニット等を示した正面図である。
【図５】（Ａ）（Ｂ）本発明の第１実施形態に係る画像形成装置のヘッドユニット、及び保守ユニット等を示した側面図、及び正面図である。
【図６】（Ａ）（Ｂ）本発明の第１実施形態に係る画像形成装置のヘッドユニット、及び保守ユニット等を示した正面図である。
【図７】（Ａ）（Ｂ）本発明の第１実施形態に係る画像形成装置のヘッドユニット、及び保守ユニット等を示した正面図である。
【図８】（Ａ）（Ｂ）本発明の第１実施形態に係る画像形成装置のヘッドユニット、及び保守ユニット等を示した正面図である。
【図９】（Ａ）（Ｂ）本発明の第１実施形態に係る画像形成装置のヘッドユニット、及び保守ユニット等を示した正面図である。
【図１０】（Ａ）（Ｂ）本発明の第１実施形態に係る画像形成装置のヘッドユニット、及び保守ユニット等を示した側面図である。
【図１１】（Ａ）（Ｂ）本発明の第１実施形態に係る画像形成装置のヘッドユニット、及び保守ユニット等を示した側面図である。
【図１２】（Ａ）（Ｂ）本発明の第１実施形態に係る画像形成装置のヘッドユニット、及び保守ユニット等を示した正面図である。
【図１３】（Ａ）（Ｂ）本発明の第１実施形態に係る画像形成装置のヘッドユニット、及び保守ユニット等を示した正面図である。
【図１４】（Ａ）（Ｂ）本発明の第１実施形態に係る画像形成装置のヘッドユニット、及び保守ユニット等を示した正面図である。
【図１５】（Ａ）（Ｂ）本発明の第１実施形態に係る画像形成装置のヘッドユニット、及び保守ユニット等を示した正面図である。
【図１６】本発明の第１実施形態に係る画像形成装置の制御部による各部の動作を示したフロー図である。
【図１７】本発明の第１実施形態に係る画像形成装置の制御部による各部の動作を示したフロー図である。
【図１８】本発明の第１実施形態に係る画像形成装置の制御部による各部の動作を示したフロー図である。
【図１９】本発明の第１実施形態に係る画像形成装置の制御部による制御系を示したブロック図である。
【図２０】（Ａ）（Ｂ）本発明の第１実施形態に係る画像形成装置の吐出ヘッドのノズル面を示した底面図である。
【図２１】（Ａ）（Ｂ）（Ｃ）（Ｄ）本発明の第１実施形態に係る画像形成装置のノズル面の清掃動作を説明するのに用いた動作図である。
【図２２】（Ａ）（Ｂ）（Ｃ）本発明の第１実施形態に係る画像形成装置のノズル面の清掃動作を説明するのに用いた動作図である。
【図２３】本発明の第２実施形態に係る画像形成装置のヘッドユニット、及び保守ユニット等を示した斜視図である。
【図２４】（Ａ）（Ｂ）本発明の第２実施形態に係る画像形成装置のヘッドユニット、及び保守ユニット等を示した側面図である。
【図２５】（Ａ）（Ｂ）本発明の第２実施形態に係る画像形成装置のヘッドユニット、及び保守ユニット等を示した側面図である。
【図２６】（Ａ）（Ｂ）本発明の第２実施形態に係る画像形成装置のヘッドユニット、及び保守ユニット等を示した側面図である。
【図２７】（Ａ）（Ｂ）本発明の第２実施形態に係る画像形成装置のヘッドユニット、及び保守ユニット等を示した正面図である。
【図２８】（Ａ）（Ｂ）本発明の第２実施形態に係る画像形成装置のヘッドユニット、及び保守ユニット等を示した正面図である。
【図２９】（Ａ）（Ｂ）本発明の第２実施形態に係る画像形成装置のヘッドユニット、及び保守ユニット等を示した正面図である。
【図３０】（Ａ）（Ｂ）本発明の第２実施形態に係る画像形成装置のヘッドユニット、及び保守ユニット等を示した正面図である。
【図３１】（Ａ）（Ｂ）本発明の第２実施形態に係る画像形成装置のヘッドユニット、及び保守ユニット等を示した正面図である。
【図３２】（Ａ）（Ｂ）本発明の第２実施形態に係る画像形成装置のヘッドユニット、及び保守ユニット等を示した正面図である。
【図３３】（Ａ）（Ｂ）本発明の第２実施形態に係る画像形成装置のヘッドユニット、及び保守ユニット等を示した正面図である。
【図３４】本発明の第２実施形態に係る画像形成装置のヘッドユニット、及び保守ユニット等を示した正面図である。
【図３５】本発明の第２実施形態に係る画像形成装置の制御部による各部の動作を示したフロー図である。
【図３６】本発明の第２実施形態に係る画像形成装置の制御部による各部の動作を示したフロー図である。
【図３７】本発明の第２実施形態に係る画像形成装置の制御部による各部の動作を示したフロー図である。
【図３８】本発明の第２実施形態に係る画像形成装置の制御部による制御系を示したブロック図である。
【図３９】（Ａ）（Ｂ）（Ｃ）本発明の第２実施形態に係る画像形成装置の清掃動作の一部を説明するのに用いた説明図である。
【図４０】（Ａ）（Ｂ）（Ｃ）本発明の第２実施形態に係る画像形成装置の清掃動作の一部を説明するのに用いた説明図である。
【図４１】本発明の第３実施形態に係る画像形成装置のヘッドユニット等を示した斜視図である。
【図４２】（Ａ）（Ｂ）本発明の第３実施形態に係る画像形成装置のヘッドユニット、及び保守ユニット等を示した正面図である。
【図４３】（Ａ）（Ｂ）（Ｃ）（Ｄ）本発明の第４実施形態に係る画像形成装置の清掃動作の一部を説明するのに用いた説明図である。
【図４４】（Ａ）（Ｂ）（Ｃ）（Ｄ）本発明の第４実施形態に係る画像形成装置の清掃動作の一部を説明するのに用いた説明図である。
【発明を実施するための形態】
【００１４】
＜第１実施形態＞
本発明の第１実施形態に係る画像形成装置の一例を図１〜図２３に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１５】
（全体構成）
図２３に示されるように、画像形成装置１０は、記録媒体としての連続紙Ｐに画像を形成する画像形成ユニット１２と、画像形成ユニット１２に供給する連続紙Ｐが収容される前処理ユニット１４と、画像形成ユニット１２と前処理ユニット１４との間に配置され、前処理ユニット１４から画像形成ユニット１２へ供給される連続紙Ｐの搬送量等を調整するバッファユニット１６と、を備えている。
【００１６】
さらに、画像形成装置１０は、画像形成ユニット１２から排出される連続紙Ｐを収容する後処理ユニット１８と、画像形成ユニット１２と後処理ユニット１８との間に配置され、画像形成ユニット１２から後処理ユニット１８へ排出される連続紙Ｐの搬送量等を調整するバッファユニット２０と、を備えている。
【００１７】
画像形成ユニット１２の内部には、搬送経路２４に沿って搬送される連続紙Ｐに、液滴を吐出して画像を形成する液滴吐出装置２１が備えられている。
【００１８】
液滴吐出装置２１は、連続紙Ｐに液滴を吐出してＫ（ブラック）色の画像を形成する吐出部材の一例としての吐出ヘッド２２Ｋと、Ｃ（シアン）色の画像を形成する吐出部材の一例としての吐出ヘッド２２Ｃとを備えている。さらに、液滴吐出装置２１は、Ｍ（マゼンタ）色の画像を形成する吐出部材の一例としての吐出ヘッド２２Ｍと、Ｙ（イエロー）色の画像を形成する吐出部材の一例としての吐出ヘッド２２Ｙとを備えている。
【００１９】
そして、吐出ヘッド２２Ｋ、２２Ｃ、２２Ｍ、２２Ｙは、各色のヘッドユニット２６Ｋ、２６Ｃ、２６Ｍ、２６Ｙに備えられている。そして、各色のヘッドユニット２６Ｋ、２６Ｃ、２６Ｍ、２６Ｙは、同様の構成とされている。さらに、ヘッドユニット２６Ｋ、２６Ｃ、２６Ｍ、２６Ｙは、この順番で連続紙Ｐの搬送方向（以下単に「用紙搬送方向」と記載する）に沿って上流側から下流側に連続紙Ｐと対向するように並べられている。
【００２０】
さらに、画像形成ユニット１２の内部には、吐出ヘッド２２Ｋ、２２Ｙ、２２Ｍ、２２Ｃを保守する保守ユニット４０Ｋ、保守ユニット４０Ｃ、保守ユニット４０Ｍ、及び保守ユニット４０Ｙが備えられている。
【００２１】
なお、保守ユニット４０Ｋ、４０Ｃ、４０Ｍ、４０Ｙは、同様の構成とされている。また、ヘッドユニット２６、及び保守ユニット４０については、詳細を後述する。
【００２２】
また、以後の説明では、Ｋ、Ｙ、Ｍ、Ｃを区別しない場合には、符号に付しているＫ、Ｙ、Ｍ、Ｃを省略する。
さらに、画像形成ユニット１２の内部には、連続紙Ｐに形成された画像を乾燥させるハロゲンヒータ２９と、各部を制御する制御部３８とが備えられている。制御部３８による制御系統については、図１９のブロック図に示す。
【００２３】
また、前処理ユニット１４は、画像形成ユニット１２へ供給される連続紙Ｐが巻き付けられている供給ロール２７を備えており、この供給ロール２７は、図示せぬフレーム部材に回転可能に支持されている。一方、後処理ユニット１８は、画像が形成された連続紙Ｐを巻き取る巻取ロール２８を備えている。
【００２４】
この構成において、巻取ロール２８を回転させることで、用紙搬送方向の張力が連続紙Ｐに付与され、連続紙Ｐが搬送経路２４に沿って搬送される。そして、各色の吐出ヘッド２２が、搬送される連続紙Ｐに各色の液滴を順番に吐出することで連続紙Ｐに画像が形成されるようになっている。
【００２５】
（要部構成）
次に、ヘッドユニット２６、及び保守ユニット４０等について説明する。なお、前述したように、各色の吐出ヘッド２２、及び各色の保守ユニット４０は、互いに同様の構成とされているため、代表して一の吐出ヘッド２２、及び一の保守ユニット４０について説明する。
【００２６】
〔ヘッドユニット〕
ヘッドユニット２６は、図１に示されるように、連続紙Ｐの上方に配置されている。そして、ヘッドユニット２６は、装置奥行方向に延びる直方体状の吐出ヘッド２２と、吐出ヘッド２２の装置奥行方向の外側を向いた一対の側面３２に固定された支持部５０とを備えている。さらに、ヘッドユニット２６は、夫々の支持部５０を貫通すると共に上下方向に延びる一対のボールネジ５４と、ボールネジ５４を回転させるモータ５６（図１９参照）とを備えている。
【００２７】
また、吐出ヘッド２２において、連続紙Ｐと対向する対向面３０には、図２０（Ａ）に示されるように、液滴を吐出する複数のノズル４８が形成された三個のノズル面４４が配置されている。そして、夫々のノズル面４４は、装置奥行方向に延びる矩形状とされ、夫々のノズル面４４には、撥水膜が施されている。
【００２８】
夫々のノズル面４４は、対向面３０に対して下方に突出（図１参照）し、装置奥行方向に対して千鳥状に配置されている。そして、夫々のノズル面４４には、複数のノズル４８が形成されている台形状のノズル領域４６が、複数設けられている。このノズル領域４６は、装置奥行方向に並んでいる。さらに、装置奥行方向に隣り合うノズル領域４６の上底と下底が、逆になるように、夫々のノズル領域４６が配置されている。
【００２９】
そして、一個のノズル面４４が、装置幅方向の一方側（図中上側）で、対向面３０の装置奥行方向の中央側の部分に配置され、二個のノズル面４４が、装置幅方向の他方側（図中下側）で、対向面３０の装置奥行方向の両端側の部分に配置されている。
【００３０】
なお、以下の説明では、装置幅方向の一方側で、対向面３０の装置奥行方向の中央側に配置されているノズル面４４を、ノズル面４４Ａと記載することがある。さらに、装置幅方向の他方側で、装置奥行方向の手前側（図中右側）に配置されているノズル面４４を、ノズル面４４Ｂと記載し、装置奥行方向の奥側（図中左側）に配置されているノズル面４４を、ノズル面４４Ｃと記載することがある。
【００３１】
また、対向面３０の装置奥行方向の手前側（図中右側）には、装置幅方向に並んでいる二個の付着部材５８、６０が配置されている。そして、付着部材５８は、装置奥行方向において、ノズル面４４Ｂ、ノズル面４４Ｃと並んでおり、付着部材６０は、装置奥行方向において、ノズル面４４Ａと並んでいる。
【００３２】
この付着部材５８、６０は、樹脂材料で成形され、同様の形状とされている。具体的には、付着部材５８、６０は、図６（Ａ）、図７（Ａ）に示されるように、装置幅方向から見て、平行四辺形状とされている。そして、付着部材５８、６０は、下方を向いた下面５８Ａ、６０Ａと、上下方向に対して傾斜し、対向面３０側を向いた傾斜面５８Ｂ、６０Ｂと、傾斜面５８Ｂ、６０Ｂに対して装置奥行方向の奥側の傾斜面５８Ｃ、６０Ｃと、を有している。また、下面５８Ａ、６０Ａは、ノズル面４４と同一面上に位置している。
【００３３】
そして、付着部材５８、６０は、後述するブレード９６、１０６に液体を付着させるようになっている（詳細は後述）。
【００３４】
この構成において、制御部３８（図１９参照）が、モータ５６を制御することで、ボールネジ５４が正方向又は逆方向に回転し、吐出ヘッド２２が上下方向に移動するようになっている。これにより、吐出ヘッド２２は、下方から上方へ、吐出位置（図２（Ａ）参照）、濡らし位置（図３（Ｂ）参照）、清掃位置（図２（Ｂ）参照）、及び離間位置（図１０（Ａ）参照）に配置されるようになっている。
【００３５】
吐出ヘッド２２が吐出位置に配置された状態では、ノズル４８から連続紙Ｐに液滴を吐出するようになっている。また、吐出ヘッド２２が濡らし位置に配置された状態では、後述するパッド７４によって、ノズル面４４が覆われて濡らされるようになっている。さらに、吐出ヘッド２２が清掃位置に配置された状態では、後述するブレード９６、１０６によって、ノズル面４４が清掃されるようになっている。また、吐出ヘッド２２が離間位置に配置された状態では、ノズル面４４が、後述するブレード９６、１０６から離間するようになっている。
【００３６】
なお、制御部３８によるモータ５６の制御については、後述する作用とともに説明する。
【００３７】
〔保守ユニット〕
保守ユニット４０は、図１に示されるように、ノズル面４４を覆うパッド７４を備えたキャップ機構６２と、パッド７４に液体を供給する供給機構６４と、ノズル面４４を払拭するブレード９６、１０６を備えたワイプ機構６６とを備えている。
【００３８】
［キャップ機構］
キャップ機構６２は、連続紙Ｐの上方に配置され、装置奥行方向に延びる直方体状とされたキャップ本体７０を備えている。そして、キャップ本体７０において、上方を向いた上方面７０Ａには、三個のノズル面４４と対応するように、夫々のノズル面４４を覆う三個のパッド７４が配置されている（詳細は後述）。
【００３９】
夫々のパッド７４は、洗浄液等の液体を吸収するように多孔質体で成形されている。多孔質体としては、例えば、弾性を有するスポンジ状の多孔質体（具体的には、軟質ウレタンフォームなど）が用いられる。また、夫々のパッド７４は、上方から見て、装置奥行方向に延びる矩形状とされ、上方面７０Ａに対して上方に突出している。そして、ノズル面４４Ａを覆うのが、パッド７４の一部のパッド７４Ａで、ノズル面４４Ｂを覆うのが、パッド７４の一部のパッド７４Ｂで、ノズル面４４Ｃを覆うのが、パッド７４の一部のパッド７４Ｃである。
【００４０】
また、上方面７０Ａの装置奥行方向の手前側には、装置幅方向に並んでいる二個の含浸部材７８、８０が配置されている。含浸部材７８は、装置奥行方向において、パッド７４Ｂ、パッド７４Ｃと並んでおり、含浸部材８０は、装置奥行方向において、パッド７４Ａと並んでいる。
【００４１】
さらに、含浸部材７８、８０は、洗浄液等の液体を吸収するように多孔質体で成形されている。また、含浸部材７８、８０は、上方から見て、装置奥行方向に延びる矩形状とされ、上方面７０Ａに対して上方に突出している。この含浸部材７８、８０の突出量は、パッド７４の突出量と同様とされている。
【００４２】
さらに、キャップ機構６２は、キャップ本体７０の装置奥行方向の外側を向いた一対の側面７０Ｂに固定された支持部７２と、夫々の支持部７２を貫通すると共に装置幅方向に延びる一対のボールネジ８２とを備えている。さらに、キャップ機構６２は、ボールネジ８２を回転させるモータ８４（図１９参照）を備えている。
【００４３】
この構成において、制御部３８が、モータ８４を制御することで、ボールネジ８２が正方向又は逆方向に回転し、キャップ本体７０が装置幅方向に移動するようになっている。これにより、キャップ本体７０は、退避位置（図２（Ａ）参照）、及び吐出ヘッド２２の下方のキャップ位置（図３（Ｂ）参照）に配置されるようになっている。
【００４４】
キャップ本体７０が退避位置に配置された状態では、キャップ本体７０が装置幅方向において、吐出ヘッド２２と異なる位置に配置され、図２（Ａ）（Ｂ）に示されるように、吐出ヘッド２２の吐出位置への移動を許容するようになっている。また、キャップ本体７０がキャップ位置に配置された状態では、キャップ本体７０が装置幅方向において、吐出ヘッド２２と同様の位置に配置され、図４（Ａ）（Ｂ）に示されるように、濡らし位置に配置された吐出ヘッド２２のノズル面４４を、パッド７４が覆うようになっている。さらに、キャップ本体７０がキャップ位置に配置された状態では、濡らし位置に配置された吐出ヘッド２２の付着部材５８、６０と、含浸部材７８、８０とが接触するようになっている。
【００４５】
なお、制御部３８によるモータ８４の制御については、後述する作用とともに説明する。
【００４６】
［供給機構］
供給機構６４は、図１に示されるように、退避位置のキャップ本体７０に対して、装置幅方向の一方側（吐出ヘッド側）に配置されている。そして、供給機構６４は、液体を吐出するノズル（図示省略）が形成されたシャワーヘッド８８と、洗浄液である液体が貯留されたタンク９０と、タンク９０に貯留された液体をシャワーヘッド８８から吐出させるポンプ９２とを備えている。なお、洗浄液として、インクに含まれる溶媒、又は水等が用いられる。
【００４７】
シャワーヘッド８８は、装置奥行方向に延び、図２（Ａ）に示されるように、退避位置に配置されているキャップ本体７０に対して上方で、かつ、吐出ヘッド２２側に配置されている。
【００４８】
この構成において、図３（Ａ）に示されるように、キャップ本体７０が退避位置からキャップ位置に移動している状態で、制御部３８が、ポンプ９２を制御することで、シャワーヘッド８８のノズルから液体を吐出させるようになっている。そして、キャップ本体７０に備えられた三個のパッド７４、及び含浸部材７８、８０に、液体が含侵される。
【００４９】
なお、制御部３８によるポンプ９２の制御については、後述する作用とともに説明する。
【００５０】
［ワイプ機構］
ワイプ機構６６は、図１に示されるように、ワイプ装置９５と、ワイプ装置１０５とを備えている。
【００５１】
ワイプ装置９５は、ノズル面４４Ｂ、４４Ｃを払拭する板状の払拭部材の一例としてのブレード９６と、ブレード９６を支持する支持部材９８と、支持部材９８を貫通すると共に装置奥行方向に延びるボールネジ１０２とを備えている。さらに、ワイプ装置９５は、ボールネジ１０２を回転させるモータ１０４（図１９参照）を備えている。そして、ブレード９６と、支持部材９８とで、ワイプユニット１００が構成されている。
【００５２】
ブレード９６は、ゴム材料で成形され、図６（Ａ）に示されるように、板面が、装置奥行方向に対して、装置奥行方向の奥側が上方を向くように傾斜している。そして、ブレード９６の下端が支持部材９８に固定されていることで、支持部材９８がブレード９６を支持している。
【００５３】
また、支持部材９８は、図３（Ａ）に示されるように、装置奥行方向から見て、Ｌ字状とされ、支持部材９８の装置幅方向の一方側（図中右側）の端部に、ボールネジ１０２が貫通している。
【００５４】
この構成において、制御部３８が、モータ１０４を制御することで、ボールネジ１０２が正方向又は逆方向に回転し、ワイプユニット１００が装置奥行方向に移動するようになっている。これにより、ワイプユニット１００は、待機位置（図６（Ａ）参照）から装置奥行方向の奥側に移動し、清掃位置に配置された吐出ヘッド２２の付着部材５８と接触した後に、ノズル面４４Ｂ、４４Ｃを払拭して清掃するようになっている（図６（Ａ）（Ｂ）参照）。
【００５５】
そして、ワイプユニット１００が待機位置に配置された状態では、ワイプユニット１００は、吐出ヘッド２２に対して装置奥行方向の手前側に配置され、吐出ヘッド２２の吐出位置への移動を許容するようになっている。
【００５６】
なお、制御部３８によるモータ１０４の制御については、後述する作用とともに説明する。
【００５７】
一方、ワイプ装置１０５は、図１に示されるように、ノズル面４４Ａを払拭する板状の払拭部材の一例としてのブレード１０６と、ブレード１０６を支持する支持部材１０８と、支持部材１０８を貫通すると共に装置奥行方向に延びるボールネジ１１２とを備えている。さらに、ワイプ装置１０５は、ボールネジ１１２を回転させるモータ１１４（図１９参照）を備えている。そして、ブレード１０６と、支持部材１０８とでワイプユニット１１０が構成されている。
【００５８】
ブレード１０６は、ゴム材料で成形され、図７（Ａ）に示されるように、板面が、装置奥行方向に対して、装置奥行方向の奥側が上方を向くように傾斜している。そして、ブレード１０６の下端が支持部材１０８に固定されていることで、支持部材１０８がブレード１０６を支持している。
【００５９】
また、支持部材１０８は、図３（Ａ）に示されるように、装置奥行方向から見て、装置幅方向に延びる矩形状とされ、Ｌ字状の支持部材９８に沿っている。さらに、支持部材１０８の装置幅方向の一方側（図中右側）の端部に、ボールネジ１１２が貫通している。
【００６０】
この構成において、制御部３８が、モータ１１４を制御することで、ボールネジ１１２が正方向又は逆方向に回転し、ワイプユニット１１０が装置奥行方向に移動するようになっている。これにより、ワイプユニット１００は、待機位置（図７（Ａ）参照）から装置奥行方向の奥側に移動して、清掃位置に配置された吐出ヘッド２２の付着部材６０と接触した後に、ノズル面４４Ａを清掃するようになっている（図７（Ａ）（Ｂ）参照）。
【００６１】
そして、ワイプユニット１１０が待機位置に配置された状態では、ワイプユニット１１０は、吐出ヘッド２２に対して装置奥行方向の手前側に配置され、ワイプユニット１００と装置幅方向で並んでいる。さらに、ワイプユニット１１０が待機位置に配置された状態では、ワイプユニット１１０は、吐出ヘッド２２の吐出位置への移動を許容するようになっている。
【００６２】
なお、制御部３８によるモータ１１４の制御については、後述する作用とともに説明する。
【００６３】
（作用）
次に、画像形成装置１０による画像形成動作が終了した後に、吐出ヘッド２２のノズル面４４を払拭して清掃する工程について、図１６〜図１８のフロー図を用いて説明する。
【００６４】
画像形成装置１０によって連続紙Ｐに画像が形成されている場合は、図２（Ａ）に示されるように、吐出ヘッド２２は、吐出位置に配置され、キャップ本体７０は、退避位置に配置され、ワイプユニット１００、１１０は、待機位置に配置されている。
【００６５】
画像形成装置１０による画像動作が終了すると、図１６に示すフロー図のステップＳ１００に移行する。
【００６６】
ステップＳ１００では、制御部３８（図１９参照）は、モータ５６を制御し、ボールネジ５４を回転させ、吐出ヘッド２２を吐出位置から清掃位置に移動させる（図２（Ａ）（Ｂ）参照）。吐出ヘッド２２が清掃位置に移動すると、ステップＳ２００に移行する。
【００６７】
ステップＳ２００では、制御部３８は、モータ８４を制御し、ボールネジ８２を回転させ、キャップ本体７０を退避位置からキャップ位置に移動させる（図３（Ａ）参照）。さらに、キャップ本体７０が退避位置からキャップ位置に移動している状態で、制御部３８が、ポンプ９２を制御し、シャワーヘッド８８のノズルから、キャップ本体７０に向けて液体を吐出される。これにより、キャップ本体７０に備えられた夫々のパッド７４、及び含浸部材７８、８０（図１参照）に、液体が含侵される。キャップ本体７０がキャップ位置に移動すると、ステップＳ３００に移行する。
【００６８】
ステップＳ３００では、制御部３８は、モータ５６を制御し、ボールネジ５４を回転させ、吐出ヘッド２２を清掃位置から濡らし位置に移動させる（図３（Ｂ）、図４（Ａ）（Ｂ）参照）。これにより、吐出ヘッド２２に備えられた夫々のノズル面４４が、夫々のパッド７４によって覆われる。さらに、吐出ヘッド２２に備えられた付着部材５８、６０は、含浸部材７８、８０と接触することで、下面５８Ａ、６０Ａで液体を保持する。吐出ヘッド２２が濡らし位置に移動すると、ステップＳ４００に移行する。
【００６９】
ステップＳ４００では、制御部３８は、モータ５６を制御し、ボールネジ５４を回転させ、吐出ヘッド２２を濡らし位置から清掃位置に移動させる（図５（Ａ）（Ｂ）参照）。ここで、前述したように、清掃位置に移動した吐出ヘッド２２の付着部材５８、６０は、下面５８Ａ、６０Ａで液体を保持している。吐出ヘッド２２が清掃位置に移動すると、ステップＳ５００に移行する。
【００７０】
ステップＳ５００では、制御部３８は、モータ１０４、１１４を制御し、ボールネジ１０２、１１２を回転させ、ワイプユニット１００、１１０を待機位置から装置奥行方向の奥側へ移動させる。
【００７１】
具体的には、制御部３８は、図６（Ａ）（Ｂ）に示されるように、待機位置に配置されているワイプユニット１００を、装置奥行方向において、ノズル面４４Ｂとノズル面４４Ｃとの間の位置まで移動させ、この位置で停止させる。これにより、図２１（Ａ）（Ｂ）（Ｃ）（Ｄ）に示されるように、ブレード９６が付着部材５８と接触し、付着部材５８の下面５８Ａで保持されている液体（図２１のＷ）が、ブレード９６に付着する。さらに、液体が付着した状態のブレード９６がノズル面４４Ｂを払拭する。そして、ノズル面４４Ｂ上の異物が、ブレード９６に捕捉される。ここで、「液体が付着した状態のブレード９６がノズル面４４Ｂを払拭する」とは、ブレード９６に液体が付着してから１０秒以内に、ブレード９６がノズル面４４Ｂを払拭することである。
【００７２】
また、制御部３８は、図７（Ａ）（Ｂ）に示されるように、待機位置に配置されているワイプユニット１１０を、装置奥行方向において、ノズル面４４Ａを通過した位置まで移動させ、この位置で停止させる。これにより、ブレード１０６が付着部材６０と接触し、付着部材６０の下面６０Ａで保持されている液体が、ブレード１０６に付着する。そして、液体が付着した状態のブレード１０６がノズル面４４Ａを払拭する。そして、ノズル面４４Ａ上の異物が、ブレード１０６に捕捉される。ここで、「液体が付着した状態のブレード１０６がノズル面４４Ａを払拭する」とは、ブレード１０６に液体が付着してから１０秒以内に、ブレード１０６がノズル面４４Ａを払拭することである。
【００７３】
ワイプユニット１００、１１０が停止すると、ステップＳ６００に移行する。
【００７４】
ステップＳ６００では、制御部３８は、モータ５６を制御し、ボールネジ５４を回転させ、吐出ヘッド２２を清掃位置から離間位置に移動させる（図８（Ａ）、図９（Ａ）参照）。吐出ヘッド２２が離間位置に移動すると、図１７に示すステップＳ７００に移行する。
【００７５】
ステップＳ７００では、制御部３８は、モータ１０４、１１４を制御し、ボールネジ１０２、１１２を回転させ、ワイプユニット１００、１１０を待機位置に移動させる（図８（Ｂ）、図９（Ｂ）参照）。ここで、吐出ヘッド２２が離間位置に配置されているため、ワイプユニット１００、１１０は、ノズル面４４と接触することなく、待機位置に移動する。ワイプユニット１００、１１０が待機位置に移動すると、ステップＳ８００に移行する。
【００７６】
ステップＳ８００では、制御部３８は、モータ８４を制御し、ボールネジ８２を回転させ、キャップ本体７０をキャップ位置から退避位置に移動させる（図１０（Ａ）（Ｂ）参照）。キャップ本体７０が退避位置に移動すると、ステップＳ９００に移行する。
【００７７】
ステップＳ９００では、制御部３８は、モータ８４を制御し、ボールネジ８２を回転させ、キャップ本体７０を退避位置からキャップ位置に移動させる（図１１（Ａ）（Ｂ）参照）。さらに、キャップ本体７０が退避位置からキャップ位置に移動している状態で、制御部３８が、ポンプ９２を制御し、シャワーヘッド８８のノズルから、キャップ本体７０に向けて液体を吐出される。これにより、キャップ本体７０に備えられた夫々のパッド７４、及び含浸部材７８、８０（図１参照）に、液体が含侵される。キャップ本体７０がキャップ位置に移動すると、ステップＳ１０００に移行する。
【００７８】
ステップＳ１０００では、制御部３８は、モータ５６を制御し、ボールネジ５４を回転させ、吐出ヘッド２２を離間位置から清掃位置に移動させる（図１２（Ａ）参照）。吐出ヘッド２２が清掃位置に移動すると、ステップＳ１１００に移行する。
【００７９】
ステップＳ１１００では、制御部３８は、モータ１０４を制御し、ボールネジ１０２を回転させ、ワイプユニット１００を待機位置から装置奥行方向の奥側へ移動させる。
【００８０】
具体的には、制御部３８は、図１２（Ａ）（Ｂ）に示されるように、待機位置に配置されているワイプユニット１００を、装置奥行方向において、付着部材５８とノズル面４４Ｂとの間の位置まで移動させ、この位置で停止させる。これにより、図２２（Ａ）（Ｂ）（Ｃ）に示されるように、ブレード９６に捕捉された異物（図中Ｊ）が、下面５８Ａと傾斜面５８Ｂとの角部で、付着部材５８によって掻き取られる。さらに、付着部材５８の下面５８Ａで保持されている液体（図２２のＷ）が、ブレード９６に付着する。ワイプユニット１００が停止すると、ステップＳ１２００に移行する。
【００８１】
ステップＳ１２００では、制御部３８は、モータ５６を制御し、ボールネジ５４を回転させ、吐出ヘッド２２を清掃位置から離間位置に移動させる（図１３（Ａ）参照）。吐出ヘッド２２が離間位置に移動すると、図１８のステップＳ１３００に移行する。
【００８２】
ステップＳ１３００では、制御部３８は、モータ１０４を制御し、ボールネジ１０２を回転させ、停止していたワイプユニット１００を装置奥行方向の奥側へ移動させる。
【００８３】
具体的には、制御部３８は、図１３（Ａ）（Ｂ）に示されるように、停止していたワイプユニット１００を、装置奥行方向において、ノズル面４４Ｂとノズル面４４Ｃとの間の位置まで移動させ、この位置で停止させる。ここで、吐出ヘッド２２が離間位置に配置されているため、ワイプユニット１００は、既に清掃されているノズル面４４Ｂと接触することなく移動し、停止する。ワイプユニット１００が停止すると、ステップＳ１４００に移行する。
【００８４】
ステップＳ１４００では、制御部３８は、モータ５６を制御し、ボールネジ５４を回転させ、吐出ヘッド２２を離間位置から清掃位置に移動させる（図１４（Ａ）参照）。吐出ヘッド２２が清掃位置に移動すると、ステップＳ１５００に移行する。
【００８５】
ステップＳ１５００では、制御部３８は、モータ１０４を制御し、ボールネジ１０２を回転させ、停止していたワイプユニット１００を装置奥行方向の奥側へ移動させる。
【００８６】
具体的には、制御部３８は、図１４（Ａ）（Ｂ）に示されるように、停止していたワイプユニット１００を、装置奥行方向において、ノズル面４４Ｃを通過した位置まで移動させ、この位置で停止させる。これにより、液体が付着した状態のブレード９６がノズル面４４Ｃを払拭する。そして、ノズル面４４Ｃ上の異物が、ブレード９６に捕捉される。ワイプユニット１００が停止すると、ステップＳ１６００に移行する。ここで、「液体が付着した状態のブレード９６がノズル面４４Ｃを払拭する」とは、ブレード９６に液体が付着してから１０秒以内に、ブレード９６がノズル面４４Ｃを払拭することである。
【００８７】
ステップＳ１６００では、制御部３８は、モータ５６を制御し、ボールネジ５４を回転させ、吐出ヘッド２２を清掃位置から離間位置に移動させる（図１５（Ａ）参照）。吐出ヘッド２２が離間位置に移動すると、ステップＳ１７００に移行する。
【００８８】
ステップＳ１７００では、制御部３８は、モータ１０４を制御し、ボールネジ１０２を回転させ、ワイプユニット１００を待機位置に移動させる（図１５（Ａ）参照）。ここで、吐出ヘッド２２が離間位置に配置されているため、ワイプユニット１００は、ノズル面４４と接触することなく、待機位置に移動する。ワイプユニット１００が待機位置に移動すると、ステップＳ１８００に移行する。
【００８９】
ステップＳ１８００では、制御部３８は、モータ５６を制御し、ボールネジ５４を回転させ、吐出ヘッド２２を清掃位置から濡らし位置に移動させる（図１５（Ａ）（Ｂ）参照）。吐出ヘッド２２が濡らし位置に移動すると一連の動作が終了し、次の画像形成動作にそなえる。
【００９０】
（まとめ）
以上説明したように、液体が付着した状態のブレード９６、１０６を用いてノズル面４４を払拭するため、乾燥した状態のブレードを用いて、ノズル面を払拭する場合と比して、ノズル面に施されている撥水膜の損傷が抑制される。
【００９１】
特に、吐出ヘッド２２から吐出される液滴に顔料が含まれている場合には、顔料がノズル面４４に付着すると研磨剤となって、撥水膜が損傷してしまうことがある。しかし、前述したように、液体が付着した状態のブレード９６、１０６を用いてノズル面４４を払拭するため、乾燥した状態のブレードを用いて、ノズル面を払拭する場合と比して、顔料に起因する撥水膜等の損傷が抑制される。
【００９２】
また、吐出ヘッド２２から吐出される液滴がノズル面４４に付着して乾燥してしまった場合でも、液体が付着した状態のブレード９６、１０６を用いてノズル面４４を払拭するため、乾燥した状態のブレードを用いて、ノズル面を払拭する場合と比して、ノズル面４４に付着して乾燥した異物が効果的に拭き取られる。
【００９３】
また、ブレード９６、１０６（ワイプユニット１００、１１０）が、装置奥行方向に移動するだけで、ブレード９６、１０６に液体が付着し、さらに、液体が付着したブレード９６、１０６がノズル面４４Ａ、４４Ｂを払拭する。このように、ブレード９６、１０６を、装置奥行方向に移動させるだけで、ブレード９６、１０６に液体が付着し、液体が付着したブレード９６、１０６が、ノズル面４４を払拭する。
【００９４】
また、付着部材５８、６０は、下方へ移動して含浸部材７８、８０と接触することで、液体を保持する。例えば、付着部材の内部に管を通して付着部材に液体を保持させる場合と比して、付着部材５８、６０は、簡易な構成で液体を保持する。
【００９５】
＜第２実施形態＞
本発明の第２実施形態に係る画像形成装置の一例を図２４〜図４０に従って説明する。なお、第２実施形態については、第１実施形態と異なる部分を主に説明する。
【００９６】
（ヘッドユニット）
第２実施形態の画像形成装置２１０に備えられたヘッドユニット２２８は、図２４に示されるように、装置奥行方向に延びる直方体状とされた吐出ヘッド２２２を備えている。そして、吐出ヘッド２２２において、連続紙Ｐと対向する対向面３３０には、ノズル面４４Ａ、４４Ｂ、４４Ｃが形成されている。
【００９７】
この構成において、制御部２３８（図３８参照）が、モータ５６を制御することで、ボールネジ５４が正方向又は逆方向に回転し、吐出ヘッド２２２が上下方向に移動するようになっている。これにより、吐出ヘッド２２２は、下方から上方へ、吐出位置（図２５（Ａ）参照）、濡らし位置（図３４参照）、清掃位置（図２５（Ｂ）参照）、及び離間位置（図２９（Ａ）、図３０（Ａ）参照）に配置されるようになっている。
【００９８】
なお、制御部２３８によるモータ５６の制御については、後述する作用とともに説明する。
【００９９】
〔保守ユニット〕
保守ユニット２４０は、図２４に示されるように、ノズル面４４を覆うパッド７４を備えたキャップ機構２６２と、供給機構６４と、ワイプ機構６６とを備えている。さらに、保守ユニット２４０は、ブレード９６、１０６に向けて液体を吐出して、ブレード９６、１０６に付着させる、付着部材の一例としてのシャワー機構２１４を備えている。
【０１００】
［キャップ機構］
キャップ機構２６２は、連続紙Ｐの上方に配置され、装置奥行方向に延びる直方体状とされたキャップ本体２７０を備えている。そして、キャップ本体２７０において、上方を向いた上方面２７０Ａには、ノズル面４４Ａ、４４Ｂ、４４Ｃと対応するように、パッド７４Ａ、７４Ｂ、７４Ｃが配置されている。
【０１０１】
この構成において、制御部２３８（図３８参照）が、モータ８４を制御することで、ボールネジ８２が正方向又は逆方向に回転し、キャップ本体２７０が装置幅方向に移動するようになっている。これにより、キャップ本体２７０は、退避位置（図２５（Ａ）参照）、及びキャップ位置（図２６（Ｂ）参照）に配置されるようになっている。
【０１０２】
なお、制御部２３８によるモータ８４の制御については、後述する作用とともに説明する。
【０１０３】
［シャワー機構］
シャワー機構２１４は、図２４に示されるように、吐出ヘッド２２２に対して、装置奥行方向の手前側で、ワイプユニット１００、１１０に対して、装置奥行方向の奥側に配置されている。
【０１０４】
そして、シャワー機構２１４は、装置幅方向に延び、液体を吐出するノズル（図示省略）が形成されたシャワーヘッド２１８と、シャワーヘッド２１８の一端に固定され、シャワーヘッド２１８を支持する支持部材２２６とを備えている。さらに、シャワー機構２１４は、支持部材２２６を貫通すると共に装置上下方向に延びるボールネジ２３２と、ボールネジ２３２を回転させるモータ２３４（図３８参照）とを備えている。また、シャワー機構２１４は、洗浄液である液体が貯留されたタンク２２０と、タンク２２０に貯留された液体をシャワーヘッド２１８から吐出させるポンプ２２４とを備えている。
【０１０５】
この構成において、制御部２３８（図３８参照）が、モータ２３４を制御することで、ボールネジ２３２が正方向又は逆方向に回転し、シャワーヘッド２１８が上下方向に移動するようになっている。これにより、シャワーヘッド２１８は、ワイプユニット１００、１１０に対して下方の下方位置（図３９（Ａ）参照）と、下方位置に対して上方で、かつ、装置奥行方向でブレード９６、１０６と対向する上方位置（図３９（Ａ）参照）とに配置されるようになっている。
【０１０６】
そして、シャワーヘッド２１８が上方位置に配置された状態では、ブレード９６、１０６とシャワーヘッド２１８とは、離間している。シャワーヘッド２１８が下方位置に配置された状態では、待機位置に配置されたワイプユニット１００、１１０の装置奥行方向の奥側への移動が、許容されている。
【０１０７】
（作用）
次に、画像形成装置２１０による画像動作が終了した後に、吐出ヘッド２２２のノズル面４４を払拭して清掃する工程について図３５〜図３７のフロー図を用いて説明する。
【０１０８】
画像形成装置２１０によって連続紙Ｐに画像が形成されている場合は、図２５（Ａ）に示されるように、吐出ヘッド２２２は、吐出位置に配置され、キャップ本体２７０は、退避位置に配置され、ワイプユニット１００、１１０は、待機位置に配置されている。さらに、シャワーヘッド２１８は、下方位置に配置されている。
【０１０９】
画像形成装置１０による画像動作が終了すると、図３５に示すフロー図のステップＳ１１０に移行する。
【０１１０】
ステップＳ１１０では、制御部２３８（図３８参照）は、モータ５６を制御し、ボールネジ５４を回転させ、吐出ヘッド２２２を吐出位置から清掃位置に移動させる（図２５（Ａ）（Ｂ）参照）。吐出ヘッド２２２が清掃位置に移動すると、ステップＳ２１０に移行する。
【０１１１】
ステップＳ２１０では、制御部２３８（図３８参照）は、モータ８４を制御し、ボールネジ８２を回転させ、キャップ本体２７０を退避位置からキャップ位置に移動させる（図２６（Ａ）（Ｂ）参照）。さらに、キャップ本体２７０が退避位置からキャップ位置に移動している状態で、制御部２３８が、ポンプ９２を制御し、シャワーヘッド８８のノズルから、キャップ本体２７０に向けて液体を吐出される。これにより、キャップ本体２７０に備えられた夫々のパッド７４（図２４参照）に液体が含侵される。キャップ本体２７０がキャップ位置に移動すると、ステップＳ３１０に移行する。
【０１１２】
ステップＳ３１０では、制御部２３８（図３８参照）は、モータ２３４を制御し、ボールネジ２３２を回転させ、シャワーヘッド２１８を下方位置から上方位置に移動させる（図３９（Ａ）（Ｂ）参照）。さらに、制御部２３８は、ポンプ２２４を制御し、ブレード９６、１０６と対向した位置に配置されている、シャワーヘッド２１８のノズルから、ブレード９６、１０６に向けて液体を吐出される。これにより、ブレード９６、１０６に液体が付着する。ブレード９６、１０６に液体が付着すると、ポンプ２２４を停止させて、ステップＳ４１０に移行する。
【０１１３】
ステップＳ４１０では、制御部２３８（図３８参照）は、モータ２３４を制御し、ボールネジ２３２を回転させ、シャワーヘッド２１８を上方位置から下方位置に移動させる（図３９（Ｂ）（Ｃ）参照）。これにより、ワイプユニット１００、１１０の装置奥行方向の奥側への移動が許容される。シャワーヘッド２１８が下方位置に移動するとステップＳ５１０に移行する。
【０１１４】
ステップＳ５１０では、制御部２３８（図３８参照）は、モータ１０４、１１４を制御し、ボールネジ１０２、１１２を回転させ、ワイプユニット１００、１１０を待機位置から装置奥行方向の奥側へ移動させる。
【０１１５】
具体的には、制御部２３８は、図２７（Ａ）（Ｂ）に示されるように、待機位置に配置されているワイプユニット１００を、装置奥行方向において、ノズル面４４Ｂとノズル面４４Ｃとの間の位置まで移動させ、この位置で停止させる。これにより、液体が付着した状態のブレード９６がノズル面４４Ｂを払拭する。そして、ノズル面４４Ｂ上の異物が、ブレード９６に捕捉される。
【０１１６】
また、制御部２３８は、図２８（Ａ）（Ｂ）に示されるように、待機位置に配置されているワイプユニット１１０を、装置奥行方向において、ノズル面４４Ａを通過した位置まで移動させ、この位置で停止させる。これにより、液体が付着した状態のブレード１０６がノズル面４４Ａを払拭する。そして、ノズル面４４Ａ上の異物が、ブレード１０６に捕捉される。ワイプユニット１００、１１０が停止すると、図３６に示すステップＳ６１０に移行する。ここで、「液体が付着した状態のブレード１０６がノズル面４４Ａを払拭する」とは、ブレード１０６に液体が付着してから１０秒以内に、ブレード１０６がノズル面４４Ａを払拭することである。
【０１１７】
ステップＳ６１０では、制御部２３８（図３８参照）は、モータ５６を制御し、ボールネジ５４を回転させ、吐出ヘッド２２２を清掃位置から離間位置に移動させる（図２９（Ａ）、図３０（Ａ）参照）。吐出ヘッド２２２が離間位置に移動すると、ステップＳ７１０に移行する。
【０１１８】
ステップＳ７１０では、制御部２３８（図３８参照）は、モータ１０４、１１４を制御し、ボールネジ１０２、１１２を回転させ、ワイプユニット１００、１１０を待機位置に移動させる（図２９（Ｂ）、図３０（Ｂ）参照）。ここで、吐出ヘッド２２２が離間位置に配置されているため、ワイプユニット１００、１１０は、ノズル面４４と接触することなく、待機位置に移動する。ワイプユニット１００、１１０が待機位置に移動すると、ステップＳ８１０に移行する。
【０１１９】
ステップＳ８１０では、制御部２３８（図３８参照）は、モータ２３４を制御し、ボールネジ２３２を回転させ、シャワーヘッド２１８を下方位置から上方位置に移動させる（図４０（Ａ）（Ｂ）参照）。さらに、制御部２３８は、ポンプ２２４を制御し、ブレード９６、１０６と対向した位置に配置されている、シャワーヘッド２１８のノズルから、ブレード９６、１０６に向けて液体を吐出される。これにより、ブレード９６、１０６に捕捉された異物が液体によって流される。さらに、液体がブレード９６、１０６に付着する。液体がブレード９６、１０６に付着すると、ポンプ２２４を停止させて、ステップＳ９１０に移行する。
【０１２０】
ステップＳ９１０では、制御部２３８（図３８参照）は、モータ２３４を制御し、ボールネジ２３２を回転させ、シャワーヘッド２１８を上方位置から下方位置に移動させる（図４０（Ｂ）（Ｃ）参照）。シャワーヘッド２１８が下方位置に移動するとステップＳ１０１０に移行する。
【０１２１】
ステップＳ１０１０では、制御部２３８（図３８参照）は、モータ１０４を制御し、ボールネジ１０２を回転させ、ワイプユニット１００を待機位置から装置奥行方向の奥側へ移動させる。
【０１２２】
具体的には、制御部２３８は、図３１（Ａ）（Ｂ）に示されるように、待機位置に配置されているワイプユニット１００を、装置奥行方向において、ノズル面４４Ｂとノズル面４４Ｃとの間の位置まで移動させ、この位置で停止させる。ここで、吐出ヘッド２２２が離間位置に配置されているため、ワイプユニット１００は、ノズル面４４Ｂと接触することなく移動し、停止する。ワイプユニット１００が停止すると、図３７に示すステップＳ１１１０に移行する。
【０１２３】
ステップＳ１１１０では、制御部２３８（図３８参照）は、モータ５６を制御し、ボールネジ５４を回転させ、吐出ヘッド２２２を離間位置から清掃位置に移動させる（図３２（Ａ）参照）。吐出ヘッド２２が清掃位置に移動すると、ステップＳ１２１０に移行する。
【０１２４】
ステップＳ１２１０では、制御部２３８（図３８参照）は、モータ１０４を制御し、ボールネジ１０２を回転させ、停止していたワイプユニット１００を装置奥行方向の奥側へ移動させる。具体的には、制御部２３８は、図３２（Ａ）（Ｂ）に示されるように、停止していたワイプユニット１００を、装置奥行方向において、ノズル面４４Ｃを通過した位置まで移動させ、この位置で停止させる。これにより、液体が付着した状態のブレード９６がノズル面４４Ｃを払拭する。そして、ノズル面４４Ｃ上の異物が、ブレード９６に捕捉される。ワイプユニット１００が停止すると、ステップＳ１３１０に移行する。
【０１２５】
ステップＳ１３１０では、制御部２３８（図３８参照）は、モータ５６を制御し、ボールネジ５４を回転させ、吐出ヘッド２２２を清掃位置から離間位置に移動させる（図３３（Ａ）参照）。吐出ヘッド２２２が離間位置に移動すると、ステップＳ１４１０に移行する。
【０１２６】
ステップＳ１４１０では、制御部２３８（図３８参照）は、モータ１０４を制御し、ボールネジ１０２を回転させ、ワイプユニット１００を待機位置に移動させる（図３３（Ｂ）参照）。ここで、吐出ヘッド２２２が離間位置に配置されているため、ワイプユニット１００は、ノズル面４４と接触することなく、待機位置に移動する。ワイプユニット１００が待機位置に移動すると、ステップＳ１５１０に移行する。
【０１２７】
ステップＳ１５１０では、制御部２３８（図３８参照）は、モータ５６を制御し、ボールネジ５４を回転させ、吐出ヘッド２２２を清掃位置から濡らし位置に移動させる（図３４参照）。吐出ヘッド２２２が濡らし位置に移動すると一連の動作が終了し、次の画像形成動作にそなえる。
【０１２８】
（まとめ）
以上説明したように、ブレード９６、１０６と離間した位置に配置されている、シャワーヘッド２１８のノズルから、ブレード９６、１０６に向けて液体を吐出される。そして、ブレード９６、１０６に液体が付着する。これにより、例えば、液体を保持した部材に、ブレードを擦りつけることでブレードに液体を付着させる場合と比して、ブレードが摩擦によって劣化するのが抑制される。
【０１２９】
他の第２実施形態の作用については、ブレードが装置奥行方向に移動するだけで、ブレードに液体が付着し、さらに、ブレードがノズル面を払拭することで生じる作用以外の第１実施形態の作用と同様である。
【０１３０】
＜第３実施形態＞
本発明の第３実施形態に係る画像形成装置の一例を図４１〜図４２に従って説明する。なお、第３実施形態については、第１実施形態と異なる部分を主に説明する。
【０１３１】
第３実施形態の画像形成装置３１０の吐出ヘッド３２２において、連続紙Ｐと対向する対向面３３０には、図４１に示されるように、ノズル面４４Ａ、４４Ｂ、４４Ｃが形成されている。そして、夫々のノズル面４４に対して、装置奥行方向の手前側に、第１実施形態の付着部材と同様の付着部材３３８が夫々配置されている。
【０１３２】
さらに、画像形成装置３１０のキャップ本体３７０において、上方を向いた上方面３７０Ａには、ノズル面４４Ａ、４４Ｂ、４４Ｃを覆うパッド７４Ａ、７４Ｂ、７４Ｃが備えられている。そして、夫々のパッド７４に対して、装置奥行方向の手前側に、第１実施形態の含浸部材と同様の含浸部材３４０が夫々配置されている。
【０１３３】
この構成において、吐出ヘッド３２２が清掃位置に配置された状態で、図４２（Ａ）（Ｂ）に示されるように、待機位置のワイプユニット１００を、装置奥行方向の奥側に移動させる。そして、ブレード９６を、順番に付着部材３３８、ノズル面４４Ｂ、付着部材３３８、及びノズル面４４Ｃに接触させることで、ノズル面４４Ｂ、４４Ｃが清掃される。
【０１３４】
他の第３実施形態の作用は、第１実施形態の作用と同様である。
【０１３５】
＜第４実施形態＞
本発明の第４実施形態に係る画像形成装置の一例を図４３に従って説明する。なお、第４実施形態については、第１実施形態と異なる部分を主に説明する。
【０１３６】
第４実施形態の画像形成装置４１０の吐出ヘッド４２２に備えられた付着部材４５８は、下方を向いた下面４５８Ａと、上下方向に対して傾斜し、対向面３０側を向いた傾斜面４５８Ｂと、傾斜面４５８Ｂに対して装置奥行方向の奥側に位置する傾斜面４５８Ｃと、を有している。
【０１３７】
そして、下面４５８Ａにおいて装置奥行方向の奥側の部分には、凹凸部４６２が形成されている。この凹凸部４６２の表面積は、平面状である場合の下面の表面積と比して、大きくなる。このため、凹凸部４６２は、下面が平面状である場合と比して、多量の液体を保持する。
【０１３８】
この構成において、図４３（Ａ）（Ｂ）（Ｃ）（Ｄ）に示されるように、ブレード９６、１０６が付着部材４５８と接触し、ブレード９６、１０６に捕捉された異物（図中Ｊ）が、下面４５８Ａと傾斜面４５８Ｂとの角部で、付着部材４５８によって掻き取られる。さらに、付着部材４５８の下面４５８Ａの凹凸部４６２に保持されている液体（図４３のＷ）が、ブレード９６、１０６に付着する。
【０１３９】
これにより、下面が平面状である場合と比して、ブレード９６、１０６に、多量の液体が付着する。
【０１４０】
他の第４実施形態の作用は、第１実施形態の作用と同様である。
【０１４１】
＜第５実施形態＞
本発明の第５実施形態に係る画像形成装置の一例を図４４に従って説明する。なお、第５実施形態については、第１実施形態と異なる部分を主に説明する。
【０１４２】
第５実施形態の画像形成装置５１０の吐出ヘッド５２２に備えられた付着部材５５８は、下方を向いた下面５５８Ａと、上下方向に対して傾斜し、対向面３０側を向いた傾斜面５５８Ｂと、傾斜面５５８Ｂに対して装置奥行方向の奥側に位置する傾斜面５５８Ｃと、を有している。
【０１４３】
そして、下面５５８Ａにおいて装置奥行方向の奥側の部分には、液体を吸収して保持する多孔質体５６２が固定されている。このため、多孔質体５６２は、下面が平面状である場合と比して、多量の液体を保持する。
【０１４４】
この構成において、図４４（Ａ）（Ｂ）（Ｃ）（Ｄ）に示されるように、ブレード９６、１０６が付着部材５５８と接触し、ブレード９６、１０６に捕捉された異物（図中Ｊ）が、下面５５８Ａと傾斜面５５８Ｂとの角部で、付着部材５５８によって掻き取られる。さらに、付着部材５５８の下面５５８Ａの多孔質体５６２に保持されている液体（図４４のＷ）が、ブレード９６、１０６に付着する。
【０１４５】
これにより、下面が平面状である場合と比して、ブレード９６、１０６に、多量の液体が付着する。
【０１４６】
他の第５実施形態の作用は、第１実施形態の作用と同様である。
【０１４７】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、ワイプユニット１００、１１０が、装置奥行方向に移動することで、ノズル面４４が清掃されたが、吐出ヘッド２２が移動することで、ノズル面４４が清掃されてもよく、また、ワイプユニット１００、１１０、と吐出ヘッド２２とを両方移動させることで、ノズル面４４が清掃されてもよい。
【０１４８】
また、上記第２実施形態では、シャワーヘッド２１８を移動させた後、シャワーヘッド２１８から液体を吐出させることで、ブレード９６、１０６に液体を付着させたが、ブレード９６、１０６を下方に移動させた後、下方位置のシャワーヘッド２１８から液体を吐出させることで、ブレード９６、１０６に液体を付着させてもよい。
【０１４９】
また、上記第１、３、４、５実施形態では、付着部材５８、６０、３３８、４５８、５５８は、含浸部材と接触することで、液体を保持したが、シャワーヘッド等から付着部材に向けて液体を吐出させることで、付着部材に液体を保持させてもよい。
【０１５０】
また、上記実施形態では、特に説明しなかったが、ノズル領域４６とブレード９６、１０６とが接触しているときに、ワイプユニット１００、１１０の移動速度を同様として、他の領域とブレード９６、１０６とが接触しているときに、ワイプユニット１００、１１０を加速、減速してもよい。これにより、ノズル領域４６の拭きむらが抑制される。
【符号の説明】
【０１５１】
１０          画像形成装置
２２          吐出ヘッド（吐出部材の一例）
４４          ノズル面
４４Ａ        ノズル面
４４Ｂ        ノズル面
４４Ｃ        ノズル面
４８          ノズル
５８          付着部材
６０          付着部材
７８          含浸部材
８０          含浸部材
９６          ブレード（払拭部材の一例）
１０６        ブレード（払拭部材の一例）
２１０        画像形成装置
２１４        シャワー機構（付着部材の一例）
２２２        吐出ヘッド（吐出部材の一例）
３１０        画像形成装置
３２２        吐出ヘッド（吐出部材の一例）
３３８        付着部材
３４０        含浸部材
４１０        画像形成装置
４２２        吐出ヘッド（吐出部材の一例）
４５８        付着部材
５５８        付着部材
【図１】
2018043467.tif 000003
【図２】
2018043467.tif 000004
【図３】
2018043467.tif 000005
【図４】
2018043467.tif 000006
【図５】
2018043467.tif 000007
【図６】
2018043467.tif 000008
【図７】
2018043467.tif 000009
【図８】
2018043467.tif 000010
【図９】
2018043467.tif 000011
【図１０】
2018043467.tif 000012
【図１１】
2018043467.tif 000013
【図１２】
2018043467.tif 000014
【図１３】
2018043467.tif 000015
【図１４】
2018043467.tif 000016
【図１５】
2018043467.tif 000017
【図１６】
2018043467.tif 000018
【図１７】
2018043467.tif 000019
【図１８】
2018043467.tif 000020
【図１９】
2018043467.tif 000021
【図２０】
2018043467.tif 000022
【図２１】
2018043467.tif 000023
【図２２】
2018043467.tif 000024
【図２３】
2018043467.tif 000025
【図２４】
2018043467.tif 000026
【図２５】
2018043467.tif 000027
【図２６】
2018043467.tif 000028
【図２７】
2018043467.tif 000029
【図２８】
2018043467.tif 000030
【図２９】
2018043467.tif 000031
【図３０】
2018043467.tif 000032
【図３１】
2018043467.tif 000033
【図３２】
2018043467.tif 000034
【図３３】
2018043467.tif 000035
【図３４】
2018043467.tif 000036
【図３５】
2018043467.tif 000037
【図３６】
2018043467.tif 000038
【図３７】
2018043467.tif 000039
【図３８】
2018043467.tif 000040
【図３９】
2018043467.tif 000041
【図４０】
2018043467.tif 000042
【図４１】
2018043467.tif 000043
【図４２】
2018043467.tif 000044
【図４３】
2018043467.tif 000045
【図４４】
2018043467.tif 000046
【手続補正書】
【提出日】平成29年2月16日(2017.2.16)
【手続補正１】
【補正対象書類名】明細書
【補正対象項目名】０００５
【補正方法】変更
【補正の内容】
【０００５】
本発明の請求項１に係る画像形成装置は、液滴を吐出するノズルが形成されたノズル面を有し、記録媒体に液滴を吐出する吐出位置と、前記吐出位置に対して上方の清掃位置とに移動する吐出部材と、前記清掃位置の前記吐出部材に対して相対移動して、前記ノズル面を払拭するブレードと、前記吐出部材の記録媒体と対向する面に配置され、液体が付着した状態の前記ブレードが前記ノズル面を払拭するように、前記ブレードに液体を付着させる付着部材と、を備えることを特徴とする。
本発明の請求項２に係る画像形成装置は、前記ブレードが、前記清掃位置の前記吐出部材に対して一方向に相対移動することで、前記付着部材によって液体が前記ブレードに付着した後、前記ブレードが前記ノズル面を払拭するように、前記ノズル面、及び前記付着部材が配置されていることを特徴とする。
【手続補正２】
【補正対象書類名】明細書
【補正対象項目名】０００６
【補正方法】変更
【補正の内容】
【０００６】
本発明の請求項３に係る画像形成装置は、請求項１に記載の画像形成装置において、前記付着部材は、液体を保持すると共に、前記ブレードの前記吐出部材に対する相対移動の方向に、前記ノズル面と並んでおり、前記ブレードは、前記清掃位置の前記吐出部材に対して相対移動することで、前記付着部材と接触し、前記ブレードに液体が付着することを特徴とする。
【手続補正３】
【補正対象書類名】明細書
【補正対象項目名】０００７
【補正方法】変更
【補正の内容】
【０００７】
本発明の請求項４に係る画像形成装置は、請求項１から３の何れか１項に記載の画像形成装置において体が含浸された含浸部材を備え、前記付着部材は、前記含浸部材と接触することで、液体を保持することを特徴とする。
【手続補正４】
【補正対象書類名】明細書
【補正対象項目名】０００８
【補正方法】変更
【補正の内容】
【０００８】
本発明の請求項５に係る画像形成装置は、請求項１に記載の画像形成装置において、ノズル面を覆うパッドを備えたキャップ機構を備え、前記キャップ機構のパッドが、前記ノズル面を覆うときに、前記付着部材は、前記含浸部材と接触することを特徴とする。
【手続補正５】
【補正対象書類名】明細書
【補正対象項目名】０００９
【補正方法】変更
【補正の内容】
【０００９】
本発明の請求項１、２、５の画像形成装置によれば、乾燥した状態のブレードを用いて、ノズル面を払拭する場合と比して、ノズル面の損傷を抑制することができる。
【手続補正６】
【補正対象書類名】明細書
【補正対象項目名】００１０
【補正方法】変更
【補正の内容】
【００１０】
本発明の請求項３の画像形成装置によれば、ブレードを、吐出部材に対して相対移動させるだけで、ブレードに液体が付着し、かつ、ノズル面をブレードが払拭することができる。
【手続補正７】
【補正対象書類名】明細書
【補正対象項目名】００１１
【補正方法】変更
【補正の内容】
【００１１】
本発明の請求項４の画像形成装置によれば、付着部材の内部に管を通すことで、付着部材に液体を保持させる場合と比して、付着部材は、簡易な構成で液体を保持することができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
【図１】本発明の第１実施形態に係る画像形成装置のヘッドユニット、及び保守ユニット等を示した斜視図である。
【図２】（Ａ）（Ｂ）本発明の第１実施形態に係る画像形成装置のヘッドユニット、及び保守ユニット等を示した側面図である。
【図３】（Ａ）（Ｂ）本発明の第１実施形態に係る画像形成装置のヘッドユニット、及び保守ユニット等を示した側面図である。
【図４】（Ａ）（Ｂ）本発明の第１実施形態に係る画像形成装置のヘッドユニット、及び保守ユニット等を示した正面図である。
【図５】（Ａ）（Ｂ）本発明の第１実施形態に係る画像形成装置のヘッドユニット、及び保守ユニット等を示した側面図、及び正面図である。
【図６】（Ａ）（Ｂ）本発明の第１実施形態に係る画像形成装置のヘッドユニット、及び保守ユニット等を示した正面図である。
【図７】（Ａ）（Ｂ）本発明の第１実施形態に係る画像形成装置のヘッドユニット、及び保守ユニット等を示した正面図である。
【図８】（Ａ）（Ｂ）本発明の第１実施形態に係る画像形成装置のヘッドユニット、及び保守ユニット等を示した正面図である。
【図９】（Ａ）（Ｂ）本発明の第１実施形態に係る画像形成装置のヘッドユニット、及び保守ユニット等を示した正面図である。
【図１０】（Ａ）（Ｂ）本発明の第１実施形態に係る画像形成装置のヘッドユニット、及び保守ユニット等を示した側面図である。
【図１１】（Ａ）（Ｂ）本発明の第１実施形態に係る画像形成装置のヘッドユニット、及び保守ユニット等を示した側面図である。
【図１２】（Ａ）（Ｂ）本発明の第１実施形態に係る画像形成装置のヘッドユニット、及び保守ユニット等を示した正面図である。
【図１３】（Ａ）（Ｂ）本発明の第１実施形態に係る画像形成装置のヘッドユニット、及び保守ユニット等を示した正面図である。
【図１４】（Ａ）（Ｂ）本発明の第１実施形態に係る画像形成装置のヘッドユニット、及び保守ユニット等を示した正面図である。
【図１５】（Ａ）（Ｂ）本発明の第１実施形態に係る画像形成装置のヘッドユニット、及び保守ユニット等を示した正面図である。
【図１６】本発明の第１実施形態に係る画像形成装置の制御部による各部の動作を示したフロー図である。
【図１７】本発明の第１実施形態に係る画像形成装置の制御部による各部の動作を示したフロー図である。
【図１８】本発明の第１実施形態に係る画像形成装置の制御部による各部の動作を示したフロー図である。
【図１９】本発明の第１実施形態に係る画像形成装置の制御部による制御系を示したブロック図である。
【図２０】（Ａ）（Ｂ）本発明の第１実施形態に係る画像形成装置の吐出ヘッドのノズル面を示した底面図である。
【図２１】（Ａ）（Ｂ）（Ｃ）（Ｄ）本発明の第１実施形態に係る画像形成装置のノズル面の清掃動作を説明するのに用いた動作図である。
【図２２】（Ａ）（Ｂ）（Ｃ）本発明の第１実施形態に係る画像形成装置のノズル面の清掃動作を説明するのに用いた動作図である。
【図２３】本発明の参考形態に係る画像形成装置のヘッドユニット、及び保守ユニット等を示した斜視図である。
【図２４】（Ａ）（Ｂ）本発明の参考形態に係る画像形成装置のヘッドユニット、及び保守ユニット等を示した側面図である。
【図２５】（Ａ）（Ｂ）本発明の参考形態に係る画像形成装置のヘッドユニット、及び保守ユニット等を示した側面図である。
【図２６】（Ａ）（Ｂ）本発明の参考形態に係る画像形成装置のヘッドユニット、及び保守ユニット等を示した側面図である。
【図２７】（Ａ）（Ｂ）本発明の参考形態に係る画像形成装置のヘッドユニット、及び保守ユニット等を示した正面図である。
【図２８】（Ａ）（Ｂ）本発明の参考形態に係る画像形成装置のヘッドユニット、及び保守ユニット等を示した正面図である。
【図２９】（Ａ）（Ｂ）本発明の参考形態に係る画像形成装置のヘッドユニット、及び保守ユニット等を示した正面図である。
【図３０】（Ａ）（Ｂ）本発明の参考形態に係る画像形成装置のヘッドユニット、及び保守ユニット等を示した正面図である。
【図３１】（Ａ）（Ｂ）本発明の参考形態に係る画像形成装置のヘッドユニット、及び保守ユニット等を示した正面図である。
【図３２】（Ａ）（Ｂ）本発明の参考形態に係る画像形成装置のヘッドユニット、及び保守ユニット等を示した正面図である。
【図３３】（Ａ）（Ｂ）本発明の参考形態に係る画像形成装置のヘッドユニット、及び保守ユニット等を示した正面図である。
【図３４】本発明の参考形態に係る画像形成装置のヘッドユニット、及び保守ユニット等を示した正面図である。
【図３５】本発明の参考形態に係る画像形成装置の制御部による各部の動作を示したフロー図である。
【図３６】本発明の参考形態に係る画像形成装置の制御部による各部の動作を示したフロー図である。
【図３７】本発明の参考形態に係る画像形成装置の制御部による各部の動作を示したフロー図である。
【図３８】本発明の参考形態に係る画像形成装置の制御部による制御系を示したブロック図である。
【図３９】（Ａ）（Ｂ）（Ｃ）本発明の参考形態に係る画像形成装置の清掃動作の一部を説明するのに用いた説明図である。
【図４０】（Ａ）（Ｂ）（Ｃ）本発明の参考形態に係る画像形成装置の清掃動作の一部を説明するのに用いた説明図である。
【図４１】本発明の第２実施形態に係る画像形成装置のヘッドユニット等を示した斜視図である。
【図４２】（Ａ）（Ｂ）本発明の第２実施形態に係る画像形成装置のヘッドユニット、及び保守ユニット等を示した正面図である。
【図４３】（Ａ）（Ｂ）（Ｃ）（Ｄ）本発明の第３実施形態に係る画像形成装置の清掃動作の一部を説明するのに用いた説明図である。
【図４４】（Ａ）（Ｂ）（Ｃ）（Ｄ）本発明の第３実施形態に係る画像形成装置の清掃動作の一部を説明するのに用いた説明図である。
【手続補正１０】
【補正対象書類名】明細書
【補正対象項目名】００９５
【補正方法】変更
【補正の内容】
【００９５】
＜参考形態＞
本発明の参考形態に係る画像形成装置の一例を図２４〜図４０に従って説明する。なお、参考形態については、第１実施形態と異なる部分を主に説明する。
【手続補正１１】
【補正対象書類名】明細書
【補正対象項目名】００９６
【補正方法】変更
【補正の内容】
【００９６】
（ヘッドユニット）
参考形態の画像形成装置２１０に備えられたヘッドユニット２２８は、図２４に示されるように、装置奥行方向に延びる直方体状とされた吐出ヘッド２２２を備えている。そして、吐出ヘッド２２２において、連続紙Ｐと対向する対向面３３０には、ノズル面４４Ａ、４４Ｂ、４４Ｃが形成されている。
【手続補正１２】
【補正対象書類名】明細書
【補正対象項目名】０１２９
【補正方法】変更
【補正の内容】
【０１２９】
他の参考形態の作用については、ブレードが装置奥行方向に移動するだけで、ブレードに液体が付着し、さらに、ブレードがノズル面を払拭することで生じる作用以外の第１実施形態の作用と同様である。
【手続補正１３】
【補正対象書類名】明細書
【補正対象項目名】０１３０
【補正方法】変更
【補正の内容】
【０１３０】
＜第２実施形態＞
本発明の第２実施形態に係る画像形成装置の一例を図４１〜図４２に従って説明する。なお、第２実施形態については、第１実施形態と異なる部分を主に説明する。
【手続補正１４】
【補正対象書類名】明細書
【補正対象項目名】０１３１
【補正方法】変更
【補正の内容】
【０１３１】
第２実施形態の画像形成装置３１０の吐出ヘッド３２２において、連続紙Ｐと対向する対向面３３０には、図４１に示されるように、ノズル面４４Ａ、４４Ｂ、４４Ｃが形成されている。そして、夫々のノズル面４４に対して、装置奥行方向の手前側に、第１実施形態の付着部材と同様の付着部材３３８が夫々配置されている。
【手続補正１５】
【補正対象書類名】明細書
【補正対象項目名】０１３４
【補正方法】変更
【補正の内容】
【０１３４】
他の第２実施形態の作用は、第１実施形態の作用と同様である。
【手続補正１６】
【補正対象書類名】明細書
【補正対象項目名】０１３５
【補正方法】変更
【補正の内容】
【０１３５】
＜第３実施形態＞
本発明の第３実施形態に係る画像形成装置の一例を図４３に従って説明する。なお、第３実施形態については、第１実施形態と異なる部分を主に説明する。
【手続補正１７】
【補正対象書類名】明細書
【補正対象項目名】０１３６
【補正方法】変更
【補正の内容】
【０１３６】
第３実施形態の画像形成装置４１０の吐出ヘッド４２２に備えられた付着部材４５８は、下方を向いた下面４５８Ａと、上下方向に対して傾斜し、対向面３０側を向いた傾斜面４５８Ｂと、傾斜面４５８Ｂに対して装置奥行方向の奥側に位置する傾斜面４５８Ｃと、を有している。
【手続補正１８】
【補正対象書類名】明細書
【補正対象項目名】０１４０
【補正方法】変更
【補正の内容】
【０１４０】
他の第３実施形態の作用は、第１実施形態の作用と同様である。
【手続補正１９】
【補正対象書類名】明細書
【補正対象項目名】０１４８
【補正方法】変更
【補正の内容】
【０１４８】
また、上記参考形態では、シャワーヘッド２１８を移動させた後、シャワーヘッド２１８から液体を吐出させることで、ブレード９６、１０６に液体を付着させたが、ブレード９６、１０６を下方に移動させた後、下方位置のシャワーヘッド２１８から液体を吐出させることで、ブレード９６、１０６に液体を付着させてもよい。
【手続補正２０】
【補正対象書類名】特許請求の範囲
【補正対象項目名】全文
【補正方法】変更
【補正の内容】
【特許請求の範囲】
【請求項１】
液滴を吐出するノズルが形成されたノズル面を有し、記録媒体に液滴を吐出する吐出位置と、前記吐出位置に対して上方の清掃位置とに移動する吐出部材と、
前記清掃位置の前記吐出部材に対して相対移動して、前記ノズル面を払拭するブレードと、
前記吐出部材の記録媒体と対向する面に配置され、液体が付着した状態の前記ブレードが前記ノズル面を払拭するように、前記ブレードに液体を付着させる付着部材と、
を備える画像形成装置。
【請求項２】
前記ブレードが、前記清掃位置の前記吐出部材に対して一方向に相対移動することで、前記付着部材によって液体が前記ブレードに付着した後、前記ブレードが前記ノズル面を払拭するように、前記ノズル面、及び前記付着部材が配置されている請求項１に記載の画像形成装置。
【請求項３】
前記付着部材は、液体を保持すると共に、前記ブレードの前記吐出部材に対する相対移動の方向に、前記ノズル面と並んでおり、
前記ブレードは、前記清掃位置の前記吐出部材に対して相対移動することで、前記付着部材と接触し、前記ブレードに液体が付着する請求項１に記載の画像形成装置。
【請求項４】
液体が含浸された含浸部材を備え、
前記付着部材は、前記含浸部材と接触することで、液体を保持する請求項１から３のいずれか１項に記載の画像形成装置。
【請求項５】
前記ノズル面を覆うパッドを備えたキャップ機構を備え、
前記キャップ機構のパッドが、前記ノズル面を覆った状態で、前記付着部材は、前記含浸部材と接触している請求項４に記載の画像形成装置。